(57)【要約】【課題】新たに光センサを設けることなく、発光部の視認性の向上及び消費電力の抑制を実現することが出来る画像読取装置及び画像形成装置を提供することを目的とする。【解決手段】画像読取装置が、光センサと、原稿の反射光を光センサの受光面へ向けて導くミラーを有すると共に走査方向に沿って往復移動するキャリッジとを具備する画像読取装置であって、発光部と、筐体の表面に設けられ、外光を取り込む開口部を有する外光取込窓と、筐体に収容され、外光取込窓から取り込まれた外光を光センサへ導く為に当該外光を反射する外光誘導ミラーと、外光誘導ミラーによって反射された外光をミラーが受光できかつミラーが受光した外光を光センサへ向けて導くことができる位置にキャリッジを移動させ、光センサが外光を受光して出力した光検出信号に基づいて外光の光量を判断し、外光の光量に応じて発光部の光量を調節する制御部と、を具備する。【選択図】図４
2010087740.tif 000002
【特許請求の範囲】
【請求項１】
原稿載置台と、光センサと、前記原稿載置台にセットされた原稿の反射光を前記光センサの受光面へ向けて導くミラーを有すると共に走査方向に沿って往復移動するキャリッジと、前記原稿載置台が上面に嵌設されると供に前記光センサ及びキャリッジを収容する筐体とを具備し、走査方向に移動する前記キャリッジの前記ミラーによって導かれた原稿の反射光を受光した前記光センサは光検出信号を出力し、当該光検出信号に基づいて画像データを生成する画像読取装置であって、
発光部と、
前記筐体の表面に設けられ、外光を取り込む開口部を有する外光取込窓と、
前記筐体に収容され、前記外光取込窓から取り込まれた外光を前記光センサへ導く為に当該外光を反射する外光誘導ミラーと、
前記外光誘導ミラーによって反射された前記外光を前記ミラーが受光できかつ前記ミラーが受光した前記外光を前記光センサへ向けて導くことができる位置に前記キャリッジを移動させ、前記光センサが前記外光を受光して出力した光検出信号に基づいて前記外光の光量を判断し、外光の光量に応じて発光部の光量を調節する制御部と、
を具備することを特徴とする画像読取装置。
【請求項２】
前記外光取込窓には、開口部を開閉する外光取込窓開閉機構が設けられており、
前記制御部は、原稿の読み取りを実行している時に、前記外光取込窓開閉機構に前記外光取込窓の開口部を閉じさせ、原稿の読み取りを実行していない時に、前記外光取込窓開閉機構に前記外光取込窓の開口部を開けさせることを特徴とする請求項１に記載の画像読取装置。
【請求項３】
前記発光部は、液晶ディスプレイのバックライトを含むことを特徴とする請求項１または２に記載の画像読取装置。
【請求項４】
前記発光部は、ＬＥＤ（Light Emitting Diode）を含むことを特徴とする請求項１〜３のいずれか一項に記載の画像読取装置。
【請求項５】
請求項１〜４のいずれかに記載の画像読取装置を具備することを特徴とする画像形成装置。
【発明の詳細な説明】
【技術分野】
【０００１】
本発明は、画像読取装置及び当該画像読取装置を備える画像形成装置に関する。
【背景技術】
【０００２】
現在、携帯電話機及びＰＨＳ端末（Personal Handy-phone System）等の携帯端末では、光センサが検出した周囲の明るさ応じてディスプレイのバックライトを制御することによって、ディスプレイの明るさを自動調節するものが存在する。このディスプレイの明るさの自動調節機能を有する携帯端末では、暗い場所に位置する場合にディスプレイの明るさを抑制することによって、ディスプレイの視認性を向上させると共に消費電力を抑制している。
このようなディスプレイの明るさを自動調節する発明として、特許文献１には、自動的に液晶上の輝度を調節することによって、容易に液晶上の文字や図形を明確に読み取れるようにすることが出来る液晶表示器が開示されている。この液晶表示器は、液晶の裏面へ光を当てるによって液晶上の文字や図形を明確に見せるバックライト部と、設置された環境の明るさを検出するための検出部と、検出部が検出した明るさに応じて上記バックライト部の明るさを自動的にコントロールするコントロール部を具備する。さらに、下記特許阿文献２、特許文献３及び特許文献４にも、周囲の明るさ、すなわち周囲の光を検出する光センサを具備し、この光センサの検出結果に基づいてディスプレイのバックライトを制御することによってディスプレイの明るさを自動調節する発明が開示されている。
【特許文献１】特開平４−１６８４１９号公報
【特許文献２】実開平１−１２８２９５号公報
【特許文献３】特開平４−１７４８１９号公報
【特許文献４】特開平９−３７１９６号公報
【発明の開示】
【発明が解決しようとする課題】
【０００３】
ところで、上記従来技術では、周囲の光の検出する光センサを具備し、当該光センサの検出結果に基づいてディスプレイのバックライトを制御してディスプレイの明るさを自動的に調節することにより、ディスプレイの視認性を向上させると共に消費電力を抑制している。しかしながら、ディスプレイの明るさを自動的に調節する機能を搭載する為には、周囲の光を検出する光センサが必要であり、この光センサを予め搭載する電子機器は多くない。その為、上記従来技術を各電子機器に適用する場合に、新たに光センサを電子機器に搭載する必要がある。しかし、原稿画像を読み取る機能を有する画像読取装置と、当該画像読装置を備える複写機及び複合機等の画像形成装置には、原稿画像を読み取る為に予め光センサが搭載されており、この画像読取装置及び画像形成装置では、新たに光センサを搭載することなく実現することが可能である。
【０００４】
本発明は、上述した事情に鑑みてなされたものであり、新たに光センサを設けることなく、予め搭載されている光センサの検出結果に応じて発光部の明るさを自動的に調節することによって、発光部の視認性の向上及び消費電力の抑制を実現することが出来る画像読取装置及び画像形成装置を提供することを目的とする。
【課題を解決するための手段】
【０００５】
上記目的を達成するために、本発明では、画像読取装置に係る第１の解決手段として、原稿載置台と、光センサと、前記原稿載置台にセットされた原稿の反射光を前記光センサの受光面へ向けて導くミラーを有すると共に走査方向に沿って往復移動するキャリッジと、前記原稿載置台が上面に嵌設されると供に前記光センサ及びキャリッジを収容する筐体とを具備し、走査方向に移動する前記キャリッジの前記ミラーによって導かれた原稿の反射光を受光した前記光センサは光検出信号を出力し、当該光検出信号に基づいて画像データを生成する画像読取装置であって、発光部と、前記筐体の表面に設けられ、外光を取り込む開口部を有する外光取込窓と、前記筐体に収容され、前記外光取込窓から取り込まれた外光を前記光センサへ導く為に当該外光を反射する外光誘導ミラーと、前記外光誘導ミラーによって反射された前記外光を前記ミラーが受光できかつ前記ミラーが受光した前記外光を前記光センサへ向けて導くことができる位置に前記キャリッジを移動させ、前記光センサが前記外光を受光して出力した光検出信号に基づいて前記外光の光量を判断し、外光の光量に応じて発光部の光量を調節する制御部と、を具備するという手段を採用する。
【０００６】
本発明では、画像読取装置に係る第２の解決手段として、上記第１の解決手段において、前記外光取込窓には、開口部を開閉する外光取込窓開閉機構が設けられており、前記制御部は、原稿の読み取りを実行している時に、前記外光取込窓開閉機構に前記外光取込窓の開口部を閉じさせ、原稿の読み取りを実行していない時に、前記外光取込窓開閉機構に前記外光取込窓の開口部を開けさせるという手段を採用する。
【０００７】
本発明では、画像読取装置に係る第３の解決手段として、上記第１または第２の解決手段において、前記発光部は、液晶ディスプレイのバックライトを含むという手段を採用する。
【０００８】
本発明では、画像読取装置に係る第４の解決手段として、上記第１〜第３いずれかの解決手段において、前記発光部は、ＬＥＤ（Light Emitting Diode）を含むという手段を採用する。
【０００９】
また、本発明では、画像形成装置に係る第１の解決手段として、上記第１〜第４のいずれかの解決手段を採用する画像読取装置を具備するという手段を採用する。
【発明の効果】
【００１０】
本発明によれば、画像読取装置が、光センサと、前記原稿載置台にセットされた原稿の反射光を光センサの受光面へ向けて導くミラーを有すると共に走査方向に沿って往復移動するキャリッジとを具備する画像読取装置であって、筐体の表面に設けられ、外光を取り込む開口部を有する外光取込窓と、筐体に収容され、外光取込窓から取り込まれた外光を光センサへ導く為に当該外光を反射する外光誘導ミラーと、外光誘導ミラーによって反射された外光をミラーが受光できかつミラーが受光した外光を光センサへ向けて導くことができる位置にキャリッジを移動させ、光センサが外光を受光して出力した光検出信号に基づいて外光の光量を判断し、外光の光量に応じて発光部の光量を調節する制御部と、を具備する。
【００１１】
このように、画像読取装置に装備される光センサを利用することによって、新たに光センサを設ける必要がなく、外光取込窓から取り込んだ外光を光センサへ受光させ、光センサの光検出信号に基づいて、外光の光量を判断し、当該判断に基づいて発光部の光量を調節する為、発光部の視認性の向上及び消費電力の抑制を実現することが出来る。
【発明を実施するための最良の形態】
【００１２】
以下、図面を参照して、本発明の一実施形態について説明する。本実施形態は、本発明の画像形成装置の一つである複写機能、プリント機能及びファクシミリ機能を併せ持つ複合機に関する。
図１は、本実施形態に係る複合機Ａの外観構成を示す正面図である。
【００１３】
この図１に示すように、複合機Ａは、原稿の画像を読み取る画像読取機能を有する画像読取部１と、画像読取部１が生成した原稿画像データ、ローカルエリアネットワークを介して外部のクライアントコンピュータ（図示略）から受信したプリント画像データ、さらに公衆網を介してファクシミリ（図示略）から受信したファクシミリ画像データに基づいて印刷用紙に画像を形成する画像形成機能と、外部とローカルエリアネットワークまたは公衆網を介して通信する通信機能と、複合機Ａの全体動作を制御する主制御機能を有する主制御本体部２及び各種キーによって操作指示を受け付ける操作機能と、画面を表示する表示機能とを有する操作表示部３から構成されている。
【００１４】
画像読取部１は、ＡＤＦ(Auto Document Feeder：自動原稿送り装置)１０及びフラットベット読取部２０及びから構成されている。
ＡＤＦ１０は、原稿載置トレイ１２にセットされた複数枚の原稿を１枚ずつ順次自動給紙するものであり、プラテンカバー１１、原稿載置トレイ１２、プラテンカバー１１に収納される図示しないピックアップローラ、レジストローラ、プラテンローラ及び排紙ローラ等から構成されている。
【００１５】
プラテンカバー１１は、ヒンジ構造によってフラットベット読取部２０に連結されることによって、フラットベット読取部２０に対して開閉可能に設置されている。このプラテンカバー１１は、フラットベット読取部２０上に原稿をセットして読み取りを行う場合における原稿押さえカバーとしての役割と、ピックアップローラ、レジストローラ、プラテンローラ及び排紙ローラ等の自動給紙機構を収容する筐体としての役割を担っている。なお、図１に示すプラテンカバー１１は、閉じられた状態を示している。
原稿載置トレイ１２は、読み取り対象の原稿をセットするためのトレイである。このセットされた原稿は、ピックアップローラ、レジストローラ、プラテンローラ及び排紙ローラ等によって搬送され、搬送された原稿は、搬送の途中にフラットベット読取部２０によって原稿画像が読み取られる。
【００１６】
フラットベット読取部２０について、図２及び図３を参照して、説明する。図２は、本実施形態に係る複合機Ａのプラテンカバー１１が開かれた状態のフラットベット読取部２０の外観図であり、図３は、本実施形態に係る複合機Ａのフラットベット読取部２０の構成概略図である。図３における（ａ）は、フラットベット読取部２０の構成の概略を示す平面図であり、（ｂ）は、フラットベット読取部２０の内部の構成の概略を示す正面方向の断面図であり、（ｃ）は、フラットベット読取部２０の内部の構成の概略を示す右側面方向の断面図である。
【００１７】
フラットベット読取部２０は、プラテンガラス２１上にセットされた原稿、またはＡＤＦ２０によって自動給紙される原稿の読み取りを行うものであり、図２及び図３に示すようにプラテンガラス２１、白色基準板２２、原稿サイズ指示板２３、フルレートキャリッジ２４、ハーフレートキャリッジ２５、キャリッジ移動用レール２６、集光レンズ２７、ＣＣＤセンサ２８、外光取込窓２９、外光誘導ミラー３０及び読取部筐体３１を備えている。
【００１８】
プラテンガラス２１は、読み取り対象の原稿を１枚ずつセットするためのガラス板である。白色基準板２２は、シェーディング補正用の白色基準データの基になる白色板である。原稿サイズ指示板２３は、ユーザがプラテンガラス２１上に各種サイズの原稿をセットする際の原稿のセット位置を示したものである。フルレートキャリッジ２４は、プラテンガラス２１の下方において、キャリッジ移動用レール２６上を移動することによりプラテンガラス２１に沿って左右方向（走査方向）に往復移動する。このフルレートキャリッジ２４は、照明光を斜め上方に向けて出射するランプ２４ａ（図３（ｂ）参照）と、照明光の反射光を後述するハーフレートキャリッジ２５に向けて反射する第１ミラー２４ｂを備えている。
【００１９】
ハーフレートキャリッジ２５は、フルレートキャリッジ２４と同様に、キャリッジ移動用レール２６上を移動することによりプラテンガラス２１に沿って左右方向（走査方向）に往復移動する。このハーフレートキャリッジ２５は、フルレートキャリッジ２４の第１ミラー２４ｂからの入射光を下方に向けて反射する第２ミラー２５ａ（図３（ｂ）参照）と、該第２ミラー２５ａからの入射光を後述する集光レンズ２７に向けて反射する第３ミラー２５ｂ（図３（ｂ）参照）とを備えている。そして、フルレートキャリッジ２４の移動量とハーフレートキャリッジ２５の移動量との比率は１：０．５となるように制御されている。これにより、集光レンズ２７に達するまでの照明光の光路長が一定になる。
【００２０】
なお、プラテンガラス２１上にセットされた原稿を読み取る場合は、フルレートキャリッジ２４及びハーフレートキャリッジ２５を走査方向に移動することによって原稿を読み取るが、ＡＤＦ１０によって原稿を自動給紙する場合には、フルレートキャリッジ２４及びハーフレートキャリッジ２５を所定の原稿読取位置に待機させ、ＡＤＦ１０が原稿を移動（搬送）することによって原稿をスキャンする。
【００２１】
集光レンズ２７は、ハーフレートキャリッジ２５の第３ミラー２５ｂからの入射光を集光してＣＣＤセンサ２８の受光面に結像させる。ＣＣＤセンサ２８は、ＣＣＤ駆動部（図示略）から供給されるタイミング信号に同期して作動し、受光面にて受光した光を光電変換することにより、読み取った原稿の画像に応じたアナログ電圧信号を生成して、当該アナログ電圧信号を出力する。
【００２２】
外光取込窓２９は、操作表示部３が設置されている側の読取部筐体３１の表面に設けられ、外光を取り込むことを目的する開口部を有している。そして、この外光取込窓２９には、複合機Ａの動作に応じて外光を取り込む為の開口部を開閉する外光取込窓開閉機構が設けられている。この外光取込窓開閉機構によって外光取込窓２９からの外光の取り込みの実施と中止とを切り替えることが出来る。外光誘導ミラー３０は、外光取込窓２９から取り込んだ外光を第１ミラーに向けて反射するものであり、原稿サイズ指示板の下に設けられている。
【００２３】
図４は、上記複合機Ａの機能ブロック図である。なお、この図４において、図１〜３と同じ構成要素には同一符号を付し、説明を省略する。上記主制御本体部２は、図４に示すＣＰＵ(Central Processing Unit)４１、ＲＯＭ(Read Only Memory)４２、ＲＡＭ(Random Access Memory)４３、用紙搬送部４４、キャリッジ駆動回路４５、ＡＦＥ（アナログフロントエンド）４６、画像データ記憶部４７、画像形成部４８、通信Ｉ／Ｆ部４９及び外光取込窓開閉駆動回路５０を備えている。
【００２４】
ＣＰＵ４１は、ＲＯＭ４２に記憶されている制御プログラム、画像データ記憶部４７に記憶されている原稿画像データ、プリント画像データまたはファクシミリ画像データ、操作表示部３から入力される操作指示、通信Ｉ／Ｆ部４９を介して外部から受信する各種信号に基づいて複合機Ａの全体動作を制御する。なお、このＣＰＵ４１の制御処理の詳細については、以下に複合機Ａの動作として説明する。
ＲＯＭ４２は、ＣＰＵ４１で実行される制御プログラム及びその他のデータを記憶する不揮発性メモリである。
ＲＡＭ４３は、ＣＰＵ４１が制御プログラムを実行して各種動作を行う際に、データの一時保存先となるワーキングエリアとして用いられる揮発性メモリである。
【００２５】
用紙搬送部４４は、用紙トレイに収納されている印刷用紙を画像形成部４８に搬送するための搬送ローラ及び搬送ローラ駆動用のモータや、画像形成処理後の印刷用紙を排紙トレイに搬送するための搬送ローラ及び搬送ローラ駆動用のモータなどから構成されている。
キャリッジ駆動回路４５は、ＣＰＵ４１の制御の下、フラットベット読取部２０のフルレートキャリッジ２４及びハーフレートキャリッジ２５を走査方向に沿って移動させるためのキャリッジ駆動信号を生成し、該キャリッジ駆動信号をフルレートキャリッジ２４及びハーフレートキャリッジ２５へ出力する。
【００２６】
ＡＦＥ４６は、増幅器４８ａ及びＡ／Ｄ変換器４６ｂを備えている。増幅器４６ａは、ＣＰＵ４１の制御によってゲイン設定値を変更可能な可変ゲイン型増幅器であり、ＣＣＤセンサ２８から入力されるアナログ電圧信号を現在のゲイン設定値に応じて増幅し、増幅後のアナログ電圧信号をＡ／Ｄ変換器４６ｂに出力する。Ａ／Ｄ変換器４６ｂは、増幅器４６ａから入力されるアナログ電圧信号をデジタル変換し、読み取った原稿の画像データを生成してＣＰＵ４１へ出力する。そして、ＣＰＵ４１は、原稿画像データを画像データ記憶部７に記憶させる。
【００２７】
画像データ記憶部４７は、例えばフラッシュメモリまたはハードディスクであり、ＣＰＵ４１の指示の下、原稿画像データ、通信Ｉ／Ｆ部４９がクライアントコンピュータから受信するプリント画像データ及び通信Ｉ／Ｆ部４９がファクシミリから受信するファクシミリ画像データを記憶する。
【００２８】
画像形成部４８は、ＣＰＵ４１の制御の下、画像データ記憶部４７に記憶されている原稿画像データ、プリント画像データまたはファクシミリ画像データに基づいて用紙搬送部４４から搬送される印刷用紙にトナーによって形成される画像形成画像を転写し、定着ローラによって当該画像形成画像の定着処理を行う。
通信Ｉ／Ｆ部４９は、外部のクライアントコンピュータ及びファクシミリ等に接続し、このクライアントコンピュータ及びファクシミリとの間で各種信号の送受信を行う。
外光取込窓開閉駆動回路５０は、ＣＰＵ４１の制御の下、外光取込窓２９の開口部を閉じる為の閉駆動信号または開口部を開ける為の開駆動信号を生成し、当該閉駆動信号または開駆動信号を外光取込窓２９に設けられた外光取込窓開閉機構へ出力する。
【００２９】
操作表示部３は、スタートキー、ストップキー、電源キー、テンキー（数値入力キー）、タッチパネル３ａ、クリアキーやその他の各種操作キー、を備えており、それぞれのキーの操作指示をＣＰＵ４１に出力すると共に、ＣＰＵ４１の制御の下、タッチパネル３ａに種々の画面を表示する。このタッチパネル３ａは、液晶ディスプレイによって構成されており、バックライトによって画面の明るさを調節する。
【００３０】
次に、上記構成の本実施形態に係る複合機Ａの動作について図５を参照して詳しく説明する。図５は、本実施形態に係る複合機Ａの動作を示すフローチャートである。
複合機Ａの外光取込窓２９の開口部が開いている状態である場合に、ＣＰＵ４１は、複写指示を操作表示部３が受け付けたか否か判定し（ステップＳ１）、ステップＳ１において『ＮＯ』と判定した場合には、すなわち複写指示を操作表示部３が受け付けていない場合には、外光取込窓２９から取り込んだ外光をＣＣＤセンサ２８へ誘導する為に、図６に示す位置Ｐ２へ、すなわち外光誘導ミラー３０の真下へフルレートキャリッジ２４をキャリッジ駆動回路４５に移動させる（ステップＳ２）。
【００３１】
図６は、本実施形態に係る複合機Ａの動作に応じた画像読取部１のフルレートキャリッジ２４の位置を示す模式図である。この図６には、シェーディング補正において白色板を読み込む時のフルレートキャリッジ２４の位置Ｐ１と、外光取込窓２９から取り込んだ外光をＣＣＤセンサ２８まで誘導する時のフルレートキャリッジ２４の位置Ｐ２とを示している。
【００３２】
フルレートキャリッジ２４が位置Ｐ２に位置する時に、外光取込窓２９から取り込んだ外光が、ＣＣＤセンサ２８へ誘導されるまでに通過する誘導経路について、図７を参照して説明する。図７は、本実施形態に係る複合機Ａの画像読取部１のフルレートキャリッジ２４が位置Ｐ２に位置する時に、外光取込窓２９から取り込まれた外光が通過する誘導経路を示す模式図である。図７の（ａ）は、フルレートキャリッジ２４が位置Ｐ２に位置する時に、外光が通過する誘導経路を示す画像読取部１の右側面方向の断面図であり、図７の（ｂ）は、フルレートキャリッジ２４が位置Ｐ２に位置する時に、外光が通過する誘導経路を示す画像読取部１の正面方向の断面図である。なお、図７における矢印は、外光が通過する誘導経路を示している。
【００３３】
まず、図７の（ａ）に示すように、外光取込窓２９から取り込まれた外光は、外光誘導ミラー３０によって反射される。外光誘導ミラー３０は、位置Ｐ２に位置するフルレートキャリッジ２４の第１ミラー２４ｂに向けて外光を反射するように角度が設定されている為、外光誘導ミラー３０によって反射された外光は、第１ミラーへ入射する。そして、第１ミラーによって反射された外光は、図７の（ｂ）示すようにハーフレートキャリッジの第２ミラー２５ａ及び第３ミラー２５ｂを経由して、集光レンズに達する。そして、ＣＣＤセンサ２８は、集光レンズによって集光された外光を受光する。なお、このとき、ハーフレートキャリッジ２５は、原稿の読み取り動作を実行していない時と同じ位置に固定されている。
【００３４】
そして、ＣＰＵ４１は、ステップＳ２の後に、ＡＦＥ４６のＡ／Ｄ変換器４６ｂから入力されるデジタル電圧信号に基づいて、外光の光量を判断し、当該外光の光量に応じてタッチパネル３ａのバックライトの光量を調節する（ステップＳ３）。例えば、ＣＰＵ４１は、外光の光量が所定のしきい値より高い場合、すなわち周囲が明るい場合には、タッチパネル３ａに表示させる画面を見易くする為に、バックライトを明るくし、また、外光の光量が所定のしきい値より低い場合、すなわち周囲が暗い場合には、画面を見易くすると供に無駄な消費電力を抑える為に、バックライトの明るさを暗くする。
【００３５】
また、ＣＰＵ４１は、ステップＳ１において『ＹＥＳ』と判定した場合には、すなわち複写指示を操作表示部３が受け付けた場合には、外光取込窓開閉駆動回路５０に閉駆動信号を出力させることによって、外光取込窓２９の開口部を外光取込窓開閉機構に閉じさせる（ステップＳ４）。そして、ＣＰＵ４１は、複写指示を操作表示部３が受け付けると、原稿の読み取りを画像読取部１に実行させ、画像読取部１による原稿の読み取りが終了すると、外光取込窓開閉駆動回路５０に開駆動信号を出力させることによって、外光取込窓２９の開口部を外光取込窓開閉機構に開けさせる（ステップＳ５）。
【００３６】
以上のように、本実施形態に係る複合機Ａにおいて、ＣＰＵ１が、原稿の読み取りを画像読取部１に実行させていない時に、外光取込窓２９の開口部を外光取込窓開閉機構駆動回路に開けさせ、フルレートキャリッジ２４を外光誘導ミラー３１の真下に移動させることによって、外光取込窓２９から取り込んだ外光を第１ミラー２４ｂ、第２ミラー２５ａ及び第３ミラー２５ｂを経由してＣＣＤセンサ２８に受光させる。そして、ＣＰＵ１は、ＣＣＤセンサ２８が外光を受光することによって、Ａ／Ｄ変換器４６ｂから入力されるデジタル電圧信号に基づいて外光の光量を判断し、外光の光量に応じてタッチパネル３ａのバックライトの光量を調節する。
【００３７】
すなわち、従来から搭載されている画像読取部１のＣＣＤセンサ２８によって外光を検出し、当該検出結果に基づいてタッチパネル３ａのバックライトの光量を調節する為、新たに光センサを設けることなく、タッチパネル３ａ視認性の向上及び消費電力の抑制を実現することが出来る。
また、ＣＰＵ１は、原稿の読み取りを画像読取部１が実行している時には、外光取込窓２９の開口部を外光取込窓開閉機構駆動回路に閉じさせることによって、原稿の読み取りが外光によって邪魔されることを防ぐことが出来る。
【００３８】
以上、本発明の一実施形態について説明したが、本発明は上記実施形態に限定されることなく、例えば以下のような変形が考えられる。
（１）上記実施形態では、ＣＰＵ１が、ＣＣＤセンサ２８が外光を受光すると、Ａ／Ｄ変換器４６ｂから入力されるデジタル電圧信号に基づいて外光の光量を判断し、外光の光量に応じてタッチパネル３ａのバックライトの光量を調節したが、本発明はこれに限定されない。
例えば、操作表示部３が備える警告、または電源の投入等を通知するＬＥＤ（Light Emitting Diode）の光量を、ＣＰＵ４１が、外光の光量に応じて判断するようにしてもよい。
【００３９】
（２）上記実施形態では、フラットベット読取部２０の読取部筐体３１の操作表示部３が設けられた側に外光取込窓２９を設けたが、発明はこれに限定されない。
例えば、操作表示部３が設けられた側に対して読取部筐体３１の左側面に外光取込窓２９を設け、その外光取込窓２９を設けた位置に応じて外光誘導ミラー３０の位置及び傾き角度を調節することによって、外光をＣＣＤセンサ２８へ受光させるようにしてもよい。すなわち、ＣＣＤセンサ２８に集光レンズ２７によって集光された外光を受光させることができれば、読取部筐体３１における外光取込窓２９の位置と、外光誘導ミラー３０の設置場所及び傾き角度は、限定されない。
【図面の簡単な説明】
【００４０】
【図１】本発明の一実施形態に係る複合機Ａの外観構成を示す正面図である。
【図２】本発明の一実施形態に係る複合機Ａのプラテンカバー１１が開かれた状態のフラットベット読取部２０の外観図である。
【図３】本発明の一実施形態に係る複合機Ａのフラットベット読取部２０の構成概略図である。
【図４】本発明の一実施形態に係る複合機Ａの機能ブロック図である。
【図５】本発明の一実施形態に係る複合機Ａの動作を示すフローチャートである。
【図６】本発明の一実施形態に係る複合機Ａの動作に応じた画像読取部１のフルレートキャリッジ２４の位置を示す模式図である。
【図７】本発明の一実施形態に係る複合機Ａの画像読取部１のフルレートキャリック２５が位置Ｐ２に位置する時に、外光取込窓２９から取り込まれた外光が通過する経路を示す模式図である。
【符号の説明】
【００４１】
Ａ…複合機、１…画像読取部、２…主制御本体部、３…操作表示部、３ａ…タッチパネル、１１…プラテンカバー、１２…原稿載置トレイ、２０…フラットベット読取部、２１…プラテンガラス、２２…白色基準板、２３…原稿サイズ指示板、２４…フルレートキャリッジ、２４ａ…ランプ、２４ｂ…第１ミラー、２５…ハーフレートキャリッジ、２５ａ…第２ミラー、２５ｂ…第３ミラー、２６…キャリッジ移動用レール、２７…集光レンズ、２８…ＣＣＤセンサ、２９…外光取込窓、３０…外光誘導ミラー、３１…読取部筐体、４１…ＣＰＵ、４２…ＲＯＭ、４３…ＲＡＭ、４４…用紙搬送部、４５…キャリッジ駆動回路、４６…ＡＦＥ、４７…画像データ記憶部、４８…画像形成部、４９…通信Ｉ／Ｆ部、５０…外光取込窓開閉駆動回路
【図１】
2010087740.tif 000003
【図２】
2010087740.tif 000004
【図３】
2010087740.tif 000005
【図４】
2010087740.tif 000006
【図５】
2010087740.tif 000007
【図６】
2010087740.tif 000008
【図７】
2010087740.tif 000009